(57)【要約】【課題】  本発明は、クリアファイルに挟み入れ書類等に即応してインデックスを素早く挿し替え入れすることができるインデックス入れを有すクリアファイルの掛止片を新規に創造することを課題としている。【解決手段】  本発明は、クリアファイルの開放側に設ける突出し部を折り返してクリアファイルの開放側上または開放側外にインデックス入れを有す掛止片を形成し、該掛止片の外端をクリアファイルにウェルダー溶着することにより該掛止片の折り返し内端を掛止片とクリアファイルの間で挟み溶着して、課題を解決したのである。【選択図】図１
2014218021.tif 000002
【特許請求の範囲】
【請求項１】
クリアファイルの開放側上または開放側外に突出し部の折り返しによるインデック入れを有す掛止片を形成し、該掛止片の外端をウェルダー溶着することにより該掛止片の折り返し内端を挟み溶着したことを特徴とするクリアファイル。
【請求項２】
掛止片のインデックス入れは一端をインデックスシートの挿脱口、他端をウェルダー溶着底とする請求項１に記載のクリアファイル。
【発明の詳細な説明】
【技術分野】
【０００１】
この発明はクリアファイル、詳しくは挟み入れ書類等の見出し等を記したインデックスシート，フィルム等を交換自在にて素早く出し入れすることができるインデックス入れを有す掛止片付きのクリアファイルに関するものである。
【背景技術】
【０００２】
この種のクリアファイルとしては本願の出願人が先に提案した実願２０１３−０００７５２号がある。この実願はクリアファイルの開放側端縁に延長部を設け、該延長部をクリアファイル側に折返しウェルダー溶着して二重構造のインデックスを兼ねた掛止片を提案している。
【特許文献１】実願２０１３―０００７５２号
【発明の開示】
【発明が解決しようとする課題】
【０００３】
しかしながら、上記実願は二重構造によりインデックスを兼ねた掛止片を強化したが、インデックスはシールとして掛止片上に貼付ける要領のためインデックスの交換貼付けが容易でないという課題がある。
【発明の効果】
【０００４】
本発明は、クリアファイルの掛止片にインデックスシート，フィルム等を透視可能に挿し入れるようにしたので、クリアファイル内に挟み入れ書類に即応してインデックスを素早く挿し替えることができるという効果を生ずる。
【０００５】
インデックスシート入れを有す掛止片は外端をクリアファイルにウェルダー溶着することにより折り返し内端を挟み溶着して強化するという効果を生ずる。
【０００６】
インデックス入れを有す掛止片をクリアファイルの背面シートに設けて表面シートを掛止させるという効果を生ずる。
【図面の簡単な説明】
【０００７】
【図１】本考案の第１実施例を示すもので、突出し部の２段角折り前の状態と掛止片を形成した状態を示す斜視図。
【図２】同、（ａ）は掛止片にて表面シートを掛止した状態、（ｂ）はインデックス入れを拡げて示す掛止片部分の拡大平断面図、（ｃ）はインデックスシートを挿し入れた状態を示す斜視図
【図３】インデックス入れを有す掛止片のその他の形成例の一部を示す斜視図
【図４】掛止片を上側の水平端縁に沿って設けた例を示す斜視図
【図５】掛止片の折り返し内端を溶着せずに自由端とした例を示す部分拡大平断面図
【図６】インデックス入れを表面シートの開放端外に設けた例を示す斜視図
【図７】垂直端縁に設けたインデックス入れの下端に溶着底を形成した例を示す斜視図
【符号の説明】
【０００８】
１は表面シート
２は背面シート
３は下角
４は上角
５は水平端縁
６は垂直端縁
７はクリアファイル
８は突出し部
９はインデックス入れを有す掛止片
９ａはインデックス入れ
１０はウェルダー溶着
１１はインデックスシート，フィルム
【発明を実施するための最良の形態】
【０００９】
本発明は、クリアファイルの表面シートの開放側に突出し部を設け、該突出し部を折り返してクリアファイルの表面の開放側、または開放側外にインデックスシート，フィルムを出し入れ可能とするインデックス入れを有す掛止片を形成し、該掛止片の外端を表面シートまたは突出し部にウェルダー溶着して折り返し内端を挟み溶着し、または溶着せずに自由端にしてクリアファイルを形成する。
このインデックス入れを有す掛止片をクリアファイルの背面シートの開放端に設けるときは表面シートおよび挟み入れ書類等を掛止する機能を有すことになる。
【実施例１】
【００１０】
図１乃至図２は本発明の第１実施例であって、硬直且つ弾撥性を有すポリプロピレン等の透明なプラスチックシートにて表面シート１と背面シート２とからなり、両シート１，２の内側は下角３を挟んでつながっており、両シート１，２の外側は対角をなす上角４を挟む上側の水平端縁５と外側の垂直端縁６を離して開放側にして書類等を出し入れ自在とするクリアファイル７とする。
【００１１】
背面シート２は外側の垂直端縁６より外方に張り出す突出し部８を設け、該突出し部８を２段角折りして平角筒状の掛止片９にして背面シート２の開放側上、または開放側外に設け、掛止片９の外端を線状においてウェルダー溶着１０して折り返し内端を挟み溶着する。掛止片９はウェルダー溶着１０部分を基に内端が強い閉じ圧をもって開閉して表面１の垂直端縁６を挟んで掛止する。このため図２に指名用に背面シート２を表面シート１より若干外側に突出して確実に掛止するようにする。しかして掛止片９は平角筒状のインデックス入れ９ａを有してインデックスシート，フィルム１１を出し入れ自在に挿し入れることができることとなる。
【００１２】
なおインデックスシート，フィルム１１を出し入れ自在に挿着するインデックス入れ９ａを有す掛止片９は図３に示すように太幅，細幅のほか長短自在であり、図４に示すように上側の水平端縁５に沿って設けることもある。
【００１３】
また、図５に示すように掛止片９の折り返し内端をウェルダー溶着１０による挟み溶着から外して自由端とすることもあり、その際は掛止片９の外端の溶着１０線を基点にインデックス入れ９ａを持ち上げてインデックスシート，フィルム１１の出し入れを容易にすることができる。
【００１４】
このようにして形成されたクリアファイル７は太細長短のインデックスシート，フィルム１１をインデックス入れ９ａ内に挿し入れることで透視により挟み入れ書類等を素早く認識することができることになる。
【００１５】
インデックス入れ９ａはクリアファイル内に挟み入れる書類等が替わると即応するインデックスシート，フィルム１１に入れ替えるのである。
【実施例２】
【００１６】
図６は本発明の第２実施例であって、インデックスシート，フィルムを出し入れするインデックス入れ９ａを有す掛止片９のウェルダー溶着１０を背面シート２の開放端外において突出し部との間で溶着した例を示したもので、その他の構成と作用は第１実施例と同じである。
【実施例３】
【００１７】
図７は本発明の第３実施例であって、垂直端縁６に設けたインデックス入れ９ａの上端をインデックスシート，フィルム１１の挿脱口９ｂ、下端の一部をウェルダー溶着底９ｃとした例を示したもので、底があることで持ち歩いてもインデックスシート，フィルム１１のインデックス入れ９ａ内から抜け出すことを防止することができる。その他の構成と作用は第１，第２実施例と同じである。
【産業上の利用可能性】
【００１８】
本発明はクリアファイルに形成する掛止片にインデックスシートを交換自在に出し入れすることができるインデックス入れを有せしめることで広く利用されるものとなる。
【図１】
2014218021.tif 000003
【図２】
2014218021.tif 000004
【図３】
2014218021.tif 000005
【図４】
2014218021.tif 000006
【図５】
2014218021.tif 000007
【図６】
2014218021.tif 000008
【図７】
2014218021.tif 000009